(57)【要約】【課題】陳列棚において遠くからでも人目を惹きつける広告表示と、商品に関する棚札表示との両方を簡易な構成で実現する。【解決手段】陳列棚１０１の前面側には、商品１０２を載置可能に略水平に配置される載置台１０３に対応付けて設けられる透過型スクリーン１０５が設けられている。また、陳列棚１０１の上方には、載置台１０３の後端よりも後方で透過型スクリーン１０５よりも上方に反射型スクリーン１０９が設けられている。プロジェクタ装置２０１から投影される一画面構成のプロジェクタ画像の投影領域には、プロジェクタ画像を分割して反射型スクリーン１０９の反射面１０９ａおよび透過型スクリーン１０５の背面側まで導く位置に光学系が配置される。各スクリーンに到達したプロジェクタ画像は、陳列棚１０１の前面側に向けて、広告表示および棚札表示として表示される。【選択図】図７
2008284168.tif 000002
【特許請求の範囲】
【請求項１】
商品を載置可能に配置される載置台と、
前記載置台に対応付けて設けられ、背面側から入射するプロジェクタ画像を前面側に透過投影する透過型スクリーンと、
前記透過型スクリーンよりも上方に設けられ、プロジェクタ画像を前面側で反射投影する反射型スクリーンと、
プロジェクタ装置から投影される一画面構成のプロジェクタ画像の投影領域内の少なくとも一部に配置され、当該一画面構成のプロジェクタ画像を前記透過型スクリーンの背面側および前記反射型スクリーンの前面側のそれぞれに分割して導く光学系と、
を備える陳列棚。
【請求項２】
前記一画面構成のプロジェクタ画像を前記透過型スクリーンの背面側および前記反射型スクリーンの前面側の少なくとも一方に導く折り返し光学系を備える、請求項１記載の陳列棚。
【請求項３】
前記一画面構成のプロジェクタ画像を投影するプロジェクタ装置を設置可能なプロジェクタ設置部を備える、請求項１または２記載の陳列棚。
【請求項４】
前記透過型スクリーンは、前記載置台の前方領域に下方に向けて延出して設けられている、請求項１から３のいずれか一に記載の陳列棚。
【請求項５】
前記透過型スクリーンは、前記載置台の後方領域に上方に向けて延出して設けられている、請求項１から４のいずれか一に記載の陳列棚。
【請求項６】
前記載置台は複数段設けられ、
前記透過型スクリーンは、前記複数段の載置台のうち少なくとも一の載置台に対応付けて設けられる、
請求項１から５のいずれか一に記載の陳列棚。
【請求項７】
前記反射型スクリーンは、前面側を下方向に向けて傾斜している、請求項１から６のいずれか一に記載の陳列棚。
【請求項８】
前記反射型スクリーンの横幅は、前記載置台の横幅よりも広い、請求項１から７のいずれか一に記載の陳列棚。
【発明の詳細な説明】
【技術分野】
【０００１】
本発明は、店舗やショールームに設置される陳列棚に関する。
【背景技術】
【０００２】
商品を陳列する陳列棚は、スーパーマーケット、コンビニエンスストア、ホームセンター、デパートなどの店舗、および、商品を展示するショールームなどにおいて、各種商品の売場等で広く用いられている。
【０００３】
従来、陳列棚に陳列される商品の価格やその他の情報を顧客に示すことを目的として、商品に対応付けて陳列棚の前面に棚札が付されることが多い。この点、薄型表示装置に商品に関する情報を表示可能な薄型表示装置を陳列棚の前面に付し、薄型表示装置を電子棚札の態様で用いた陳列棚の発明が開示されている（特許文献１の図６）。
【０００４】
また、従来、陳列棚に陳列した商品を顧客に注目させ、より多くの購買に繋げる手法として、紙などの記録媒体に商品名と価格、またはキャッチコピーや説明文、イラストを描いたＰＯＰ広告（Ｐｏｉｎｔ  Ｏｆ  Ｐｕｒｃｈａｓｅ）が用いられている。この点、陳列棚の天壁に備えた透過型スクリーンの裏面側に向けてプロジェクタ画像を投影するショーケース（特許文献２の図１）、および、前面位置から間隔をあけて対面配置されたプロジェクタ装置から陳列棚の天壁に備えた反射型のスクリーンの表面側にプロジェクタ画像を投影するショーケース（特許文献２の図２）の発明が開示されている。
【０００５】
特許文献１および特許文献２に開示されている発明によれば、商品情報を表示した棚札やＰＯＰ広告が印刷された記録媒体の取付作業および付替作業を行うことなく、棚札表示や広告表示を行うことが可能になり、陳列棚に載置された商品の販促効果が高まる。
【０００６】
【特許文献１】特開２００５−０９９８８８公報
【特許文献２】特開２００１−２４５７５６公報
【発明の開示】
【発明が解決しようとする課題】
【０００７】
しかし、特許文献１に記載されている陳列棚の前面に付されている電子棚札では、情報を表示する表示面の面積が小さいため、陳列棚の近くにいる顧客に対し商品に関する情報を提供できるがＰＯＰ広告のように大きく人目を惹きつける広告表示を行うことが難しい。この点を解決すべく、特許文献１に記載されている陳列棚の上部に、特許文献２に記載されているショーケースに設けられているスクリーンと、当該スクリーンにプロジェクタ画像を投影するためのプロジェクタ装置を新たに追加して、プロジェクタ装置からスクリーンに向けてプロジェクタ画像を投影し、棚札表示と広告表示とを同時に実現しようとする場合、棚札表示と広告表示とのそれぞれに別個に表示機構を設けることになり、構造上の無駄が生じてしまう。
【０００８】
本発明の目的は、陳列棚において遠くからでも人目を惹きつける広告表示と、商品に関する棚札表示との両方を簡易な構成で実現することである。
【課題を解決するための手段】
【０００９】
本発明において上記の課題を解決するための手段は、商品を載置可能に配置される載置台と、前記載置台に対応付けて設けられ、背面側から入射するプロジェクタ画像を前面側に透過投影する透過型スクリーンと、前記透過型スクリーンよりも上方に設けられ、プロジェクタ画像を前面側で反射投影する反射型スクリーンと、プロジェクタ装置から投影される一画面構成のプロジェクタ画像の投影領域内の少なくとも一部に配置され、当該一画面構成のプロジェクタ画像を前記透過型スクリーンの背面側および前記反射型スクリーンの前面側のそれぞれに分割して導く光学系と、を備える陳列棚である。
【発明の効果】
【００１０】
本発明によれば、プロジェクタ装置から投影される一画面構成のプロジェクタ画像が、反射型スクリーンの前面側と透過型スクリーンの背面側とに向けて分割されて導かれた後に、陳列棚の前面側に向けて投影表示され、したがって、陳列棚において遠くからでも人目を惹きつける広告表示と、商品に関する棚札表示との両方を簡易な構成で実現することができる。
【発明を実施するための最良の形態】
【００１１】
本発明の実施の一形態を図１ないし図７に基づいて説明する。本実施の形態では、デパートのショーウィンドウへの適用に適した陳列棚システム１１について紹介する。
［システム構成の概要］
図１は、陳列棚システム１１を示す模式図である。本実施の形態の陳列棚システム１１は、店舗内に設置される陳列棚１０１と、プロジェクタ設置部２００に設置されるプロジェクタ装置２０１と、バックヤードに配置されるコンピュータ３０１とから構成されている。プロジェクタ設置部２００は陳列棚１０１の内部に設けられている。プロジェクタ装置２０１とコンピュータ３０１とは、ネットワーク３２０を介して接続されている。
【００１２】
陳列棚１０１は、商品１０２（本実施の形態においては、マネキンに着飾られた衣類）を載置して陳列可能な載置台１０３を備えている。載置台１０３は床面ＦＬと平行になるように陳列棚１０１の下方に設けられ、その側面を一対の側板１０４に支持されている。
【００１３】
載置台１０３の上方には、載置台１０３の後端１０３ｂに接続して、鉛直に奥板１０６が立設されている。奥板１０６の上方には奥板１０６の左右幅一杯に切れ目なく、透過型スクリーン１０５が設けられている。透過型スクリーン１０５は、載置台１０３に対応付けて当該載置台１０３の後方領域に上方に向けて延出して設けられている。透過型スクリーン１０５は、例えば磨りガラス様の構造を備え、背面側から投影されるプロジェクタ画像を表面側に透過投影する。
【００１４】
陳列棚１０１の上部は、奥板１０６の上端１０６ａから陳列棚１０１の後方に向けて、奥行き方向に開口している。その開口している開口部１０７の奥側で背板１０８の上辺１０８ａには、陳列棚１０１の背面を構成する背板１０８に接続して、反射型スクリーン１０９が設けられている。反射型スクリーン１０９の前面側は、塩化ビニルを基礎とし、その上に亜鉛、アルミニウム、マグネシウム等の酸化物を含有する油性塗料、もしくは、アルミニウム粉末やガラス粉末を均一に塗布された、プロジェクタ画像を受けて反射投影する反射面１０９ａが形成されている。反射型スクリーン１０９は、載置台１０３の後端１０３ｂよりも後方で透過型スクリーン１０５よりも上方に設けられ、反射面１０９ａを下方向に向けて傾斜する向きに配置されている。
【００１５】
プロジェクタ装置２０１は、陳列棚１０１の内部に備わる光学系１１０を経由して透過型スクリーン１０５および反射型スクリーン１０９に向けて、レンズ２０２から一画面構成のプロジェクタ画像を投影する、例えば液晶プロジェクタである。プロジェクタ装置２０１から投影される一画面構成のプロジェクタ画像は、バックヤードに設置されたコンピュータ３０１から送信された画像データ４００（図６参照）を受信し、受信した画像データ４００に基づいて生成されるものである。
【００１６】
コンピュータ３０１は、その外観態様として、本体タワー３０２、ディスプレイ３０３、キーボード３０４、及びマウス等のポインティングデバイス３０５を備えて構成されている。
［構造］
図２は、陳列棚１０１の正面図である。図３は、陳列棚１０１の左断面図である。陳列棚１は、その枠組みを、一対の側板１０４に挟まれる奥板１０６、背板１０８、底板１１１および下部前板１１２によって構成される。
【００１７】
底板１１１は、側板１０４に挟まれ床面ＦＬと平行に配置され陳列棚１０１の底面部をなしている。底板１１１の下面側には、床面ＦＬに載置される陳列棚１０１が床面ＦＬに対し滑り出さないよう滑り止め効果を奏する滑り止め部材１１１ａ（例えば、ゴム足）が接着されている。
【００１８】
背板１０８は、側板１０４に挟まれ下辺を底板１１１の後端に接続して陳列棚１の背面をなしている。背板１０８の上部には、側板１０４の形状に合わせて背面上方を向く向きに傾斜している傾斜部１０８ｂが形成されている。
【００１９】
下部前板１１２は、側板１０４に挟まれ下辺を底板１１１の前端に接続し、上辺を載置台１０３の前端１０３ａに接続して陳列棚１０１の前面をなしている。
【００２０】
本実施の形態の陳列棚１０１には、一対の側板１０４に挟まれて略水平となるように固定されている載置台１０３が一段配置されている。載置台１０３の上部には、商品１０２を載置可能な載置空間ＳＰが形成されている。
【００２１】
載置台１０３の後端１０３ｂには、載置台１０３の奥行きを規定する奥板１０６が立設配置される。奥板１０６の上方の一部には、矩形形状の透過型スクリーン１０５が左右幅一杯に鉛直に設けられている。
【００２２】
陳列棚１０１の上部には、奥板１０６、一対の側板１０４、背板１０８のそれぞれの上辺に囲まれて矩形形状に開口された開口部１０７が設けられている。背板１０８の上辺１０８ａには、反射面１０９ａを陳列棚１０１の前方に向けて、１０９ａを下方に傾斜させて反射型スクリーン１０９が設けられている。反射型スクリーン１０９の横幅は、載置台１０３の横幅よりも広くなっている。側板１０４の上端部には台形形状の切欠部１０４ａ（図１参照）が設けられている。この切欠部１０４ａが設けられていることによって、陳列棚１０１の内部から上方に向けて進行するプロジェクタ画像は、開口部１０７を通過する際に開口部１０７の横幅に規制されることなく、反射面１０９ａの横幅一杯に反射投影される。
【００２３】
陳列棚１０１の外観を構成する側板１０４、載置台１０３、奥板１０６、背板１０８、底板１１１および下部前板１１２は、いずれも遮光性のある平板部材（例えば、スチール平板）で形成されており、これらは互いに、陳列棚１の内部に光が侵入しないように、隙間を形成することなく接続されている。
【００２４】
載置台１０３の下方で背板１０８および下部前板１１２に挟まれる下部空間１１３ａには、陳列棚１０１の左右中央位置に位置させて、底板１１１の上にプロジェクタ設置部２００が設けられている。プロジェクタ設置部２００は、プロジェクタ装置２０１の光軸Ｏを後方水平方向に向けてプロジェクタ装置２０１を設置可能な形状に構成されている。
【００２５】
背板１０８および奥板１０６の間には、奥板１０６と平行に鉛直方向の広がりをもった奥側内部空間１１３が形成されている。奥側内部空間１１３には、主反射鏡１１４および投影鏡１１５により構成される光学系１１０が配置されている。主反射鏡１１４および投影鏡１１５はいずれも、プロジェクタ装置２０１から投影されるプロジェクタ画像を反射する鏡面を一方の面に備える平面鏡である。
【００２６】
主反射鏡１１４は、奥側内部空間１１３の下方でレンズ２０２の高さに位置づけられ、プロジェクタ装置２０１から陳列棚１０１の後方に向けて水平方向に投射されるプロジェクタ画像を、上方向に偏向させる向きに配置される。
【００２７】
投影鏡１１５は、奥側内部空間１１３の奥側で主反射鏡１１４の上方に透過型スクリーン１０５の高さに位置付けられて配置される。投影鏡１１５は、主反射鏡１１４によって偏向され下方から入射され反射型スクリーン１０９に至るプロジェクタ画像の投影領域Ａ内で、反射型スクリーン１０９との前後位置を違えて、反射型スクリーン１０９に到達するプロジェクタ画像を遮らない位置に配置される。そして、投影鏡１１５は、主反射鏡１１４によって偏向され下方から入射されたプロジェクタ画像の一部を分割して透過型スクリーン１０５に偏向する向きに配置される。
【００２８】
上記のように陳列棚１０１の奥側内部空間に配置される主反射鏡１１４および投影鏡１１５で構成される光学系１１０は、プロジェクタ装置２０１から投影されるプロジェクタ画像を透過型スクリーン１０５の背面側および上方スクリーンの反射面１０９ａに導く折り返し光学系を構成している。
【００２９】
反射型スクリーン１０９および透過型スクリーン１０５は、陳列棚１０１の内部に設けられて折り返し光学系を構成する光学系１１０において、プロジェクタ装置２０１の内部に設けられている液晶表示装置２０１ａを物体面として、物体面と共役の関係にある図示しない像面に近い位置に配置される。そのため、反射型スクリーン１０９および透過型スクリーン１０５に投影されるプロジェクタ画像は、プロジェクタ装置２０１のレンズ２０２の被写界深度によって、陳列棚１０１に対面する顧客にとって表示内容を十分に認識することができる程度のピントで結像する。
［ハードウェア構成］
図４は、プロジェクタ装置２０１に画像データ４００（図６参照）を送信するコンピュータ３０１のハードウェア構成を示すブロック図である。コンピュータ３０１は、情報処理部としてのマイクロコンピュータ３０６を有している。マイクロコンピュータ３０６は、各種演算処理を実行するＣＰＵ３０７と、ＢＩＯＳ等の固定データを固定的に記憶するＲＯＭ３０８と、各種可変データを書き替え自在に記憶してワークエリアとして使用されるＲＡＭ３０９とを備えて構成されている。マイクロコンピュータ３０６には、ＨＤＤ３１１とＣＤ−ＲＯＭドライブ３１２とが、バスラインＢＬを介してデータ通信自在に接続されている。一例として、ＯＳ３１３（オペレーティングシステム、図５参照）や各種のアプリケーションプログラムを記憶するＣＤ−ＲＯＭ３１４からＣＤ−ＲＯＭドライブ３１２が情報を読み取り、これをＨＤＤ３１１にインストールすることができるように構成されている。
【００３０】
また、図１に外観態様を示した前述のディスプレイ３０３、キーボード３０４およびポインティングデバイス３０５も、バスラインＢＬを介してマイクロコンピュータ３０６に接続されている。ディスプレイ３０３は、マイクロコンピュータ３０６に対する出力機器となり、キーボード３０４およびポインティングデバイス３０５は、マイクロコンピュータ３０６に対する入力機器となる。
【００３１】
さらに、マイクロコンピュータ３０６には通信インターフェイス３１５も接続されている。この通信インターフェイス３１５は、ネットワーク３２０を介してプロジェクタ装置２０１との間の通信を可能とするプロトコルをサポートしている。
【００３２】
図５は、プロジェクタ装置２０１が投射するプロジェクタ画像の基礎となる画像データ４００を編集生成するためのコンピュータ３０１上での仕組みを例示する模式図である。コンピュータ３０１のＨＤＤ３１１には、プロジェクタ装置２０１から投影される画像データ４００の編集および生成を可能とするアプリケーションプログラムとして、画像形成ソフトウェア３１６がインストールされている。また、ＨＤＤ３１１には、画像形成ソフトウェア３１６と共に利用される画像ライブラリ３１７がインストールされている。画像ライブラリ３１７には、風景写真やアニメーション効果を備えるアイコンなどの各種画像がデータとして記憶されている。
【００３３】
このような画像形成ソフトウェア３１６としては、例えばマイクロソフト社のパワーポイント（商品名）や、アドビシステムズ社のフラッシュ（商品名）が用いられる。画像形成ソフトウェア３１６によれば、コンピュータ３０１上で画像データ４００を編集生成することが可能であり、生成した画像データ４００の上に文字を重畳させることも可能である。また、画像形成ソフトウェア３１６によれば、画像データ４００の編集生成に際して、画像ライブラリ３１７に含まれている各種データを利用し、これを編集生成した画像上に貼り付けることが可能である。
【００３４】
画像形成ソフトウェア３１６は、その起動に伴って、そのプログラムコードの全部又は一部がＲＡＭ３０９にコピーされ、画像形成ソフトウェア３１６に基づく処理速度の高速化が図られる。また、このような画像形成ソフトウェア３１６のＲＡＭ３０９へのコピーに付随して、画像ライブラリ３１７の全部又は一部もＲＡＭ３０９にコピーされ、処理速度の高速化が図られる。そして、マイクロコンピュータ３０６は、画像形成ソフトウェア３１６によって編集生成した画像データ４００を、通信インターフェイス３１５からネットワーク３２０を介してプロジェクタ装置２０１に送信することができる。
【００３５】
図６は、コンピュータ３０１上で編集生成されたプロジェクタ画像の基礎となる画像データ４００の一例を示す模式図である。ここで、図６に示す画像データ４００は、コンピュータ３０１のディスプレイ３０３に表示された態様として示している。
【００３６】
図６に示すように、画像データ４００は一画面で構成されている。その画面データには、第１部分画像４０１と、第２部分画像４０２とが含まれる。
【００３７】
第１部分画像４０１は、プロジェクタ装置２０１のレンズ２０２から投射されて、投影鏡１１５を経由することなく反射型スクリーン１０９の反射面１０９ａに到達するプロジェクタ画像の一部領域の基礎となる。第１部分画像４０１は、反射型スクリーン１０９の反射面１０９ａの形状に合わせた矩形形状の第１エリア４０１ａに格納される。
【００３８】
第２部分画像４０２は、プロジェクタ装置２０１のレンズ２０２から投射されて、投影鏡１１５に入射して偏向され透過型スクリーン１０５の背面側に到達するプロジェクタ画像の一部領域の基礎となる。第２部分画像４０２は、透過型スクリーン１０５の形状にあわせた帯形状の第２エリア４０２ａに格納される。
【００３９】
第１エリア４０１ａに格納される第１部分画像４０１、第２エリア４０２ａに格納される第２部分画像４０２はいずれも、画像ライブラリ３１７に格納されている各種データや、画像形成ソフトウェア３１６によって描画されるテキストデータ等の描画オブジェクトをレイヤ合成して生成される。画像形成ソフトウェア３１６によっては、レイヤ合成した描画オブジェクトに個々に動作情報を与えて、アニメーション効果を与えたり色調を変更したりすることも可能である。また、画像データ４００中、第１エリア４０１ａおよび第２エリア４０２ａ以外の領域４０３は、ブラックアウトされている。
【００４０】
図６に示した一例について説明する。画像データ４００のうち第１エリア４０１ａには、左上から右下方向にかけて白色からディープスカイブルーに変化するグラデーション模様の背景画像４０１ｐに、筆記体フォントで表示される「Ｃｏｏｌ／Ｓｕｍｍｅｒ／Ｂｅａｕｔｙ」という文字表示４０１ｑを第１エリア４０１ａの右下位置に重層させて構成される第１部分画像４０１が含まれている。同様に、画像データ４００のうち第２エリア４０２ａには、夏の海辺の風景を表現した背景画像４０２ｐに、上空を飛行するカモメや海上を走行するヨットを模して動作情報が与えられたアイコン４０２ｑと、載置台１０３に載置される商品１０２の情報を表示した棚札表示４０２ｒとを重層させて構成される第２部分画像４０２が含まれている。
［作用］
本実施の形態の陳列棚１０１によれば、商品１０２に関する情報を内容としてプロジェクタ装置２０１から投影されるプロジェクタ画像が、反射型スクリーン１０９の反射面１０９ａと透過型スクリーン１０５の背面とに向けて分割されて導かれた後に、陳列棚１０１の前面側に向けて投影表示され、したがって、陳列棚１０１において遠くからでも人目を惹きつける広告表示と、商品に関する棚札表示との両方を簡易な構成で実現することができる。
【００４１】
さらに、本実施の形態の陳列棚１０１によれば、反射型スクリーン１０９は前面側を下方向に向けて傾斜して設けられ、反射面１０９ａの垂線とプロジェクタ画像の入射光とがなす入射角を小さくさせてスクリーン反射輝度を高めることができ、したがって、陳列棚１０１の前面に向けて鮮明な広告表示を行うことができる。
【００４２】
さらに、本実施の形態の陳列棚１０１によれば、反射型スクリーン１０９の横幅は、載置台１０３の横幅よりも広くなっているため、陳列棚１０１の前面に向けて大きくインパクトのある広告表示を行うことができる。
【００４３】
すなわち、陳列棚１０１の内部に備えられたプロジェクタ装置２０１は、広告表示と棚札表示との両方の内容を含んだ一画面構成のプロジェクタ画像を投射する。プロジェクタ装置２０１から投射されたプロジェクタ画像は、主反射鏡１１４を経て上方に偏向される。投影鏡１１５と反射型スクリーン１０９の反射面１０９ａとは、下方から上方に向けて進行するプロジェクタ画像を互いに遮らない位置関係をなして配置されている。そのため、下方から上方に向けて進行するプロジェクタ画像は、投影鏡１１５によって分割される。プロジェクタ画像のうち投影鏡１１５に入射しなかった一部は、そのまま直進して反射型スクリーン１０９の反射面１０９ａに入射し、陳列棚１０１の前方に向けて反射投影される。また、プロジェクタ画像のうち投影鏡１１５に入射して分割された一部は、透過型スクリーン１０５の背面側に向けて偏向された後、背面側に入射して表面側まで透過投影される。このような投射経路を経て、プロジェクタ装置２０１から投射される一画面構成のプロジェクタ画像は、陳列棚１０１の上方に設けられた反射型スクリーン１０９、および、奥板１０６に設置された透過型スクリーン１０５のそれぞれに分割されて投影される。
【００４４】
コンピュータ３０１で編集生成される画像データ４００のうち第１エリア４０１ａは反射型スクリーン１０９に対応している。そこで、コンピュータ３０１を操作する操作者は、第１エリア４０１ａに反射型スクリーン１０９に投影させたい画像や文字などの描画オブジェクトを配置して第１部分画像４０１を編集生成することによって、コンピュータ３０１で生成した第１部分画像４０１を顧客に対する広告表示として、反射型スクリーン１０９に反射投影させて表示させることができる。
【００４５】
また、コンピュータ３０１で編集生成される画像データ４００のうち第２エリア４０２ａは透過型スクリーン１０５に対応している。そこで、コンピュータ３０１を操作する操作者は、第２エリア４０２ａに透過型スクリーン１０５に投影させたい画像や文字などの描画オブジェクトを配置して第２部分画像４０２を編集生成することによって、コンピュータ３０１で生成した第２部分画像４０２を顧客に対する棚札表示として、透過型スクリーン１０５に透過投影させて表示させることができる。
【００４６】
図７は、コンピュータ３０１上で編集生成された画像データ４００が投影された状態の一例を示す陳列棚１０１の模式図である。
【００４７】
コンピュータ３０１を操作する操作者は、コンピュータ３０１を操作して画像データ４００を通信インターフェイス３１５（図４参照）からネットワーク３２０を介してプロジェクタ装置２０１に送信することができる。例えば、操作者が図６に一例として示した画像データ４００を生成した場合、図７に示すように、反射型スクリーン１０９の反射面１０９ａには、グラデーション模様の背景画像４０１ｐに「Ｃｏｏｌ／Ｓｕｍｍｅｒ／Ｂｅａｕｔｙ」という文字表示４０１ｑを重層させて構成されたＰＯＰ広告となる画像を投影させることができる。また、透過型スクリーン１０５には、夏の海辺の風景を表現した背景画像４０２ｐに動きのあるアイコン４０２ｑと商品１０２の情報を示す棚札表示４０２ｒとを重層させた画像を投影させることができる。
【００４８】
また、第１部分画像４０１を格納する第１エリア４０１ａ、および、第２部分画像４０２を格納する第２エリア４０２ａのそれぞれに、揺れる表示効果やスクロール表示効果などのアニメーション効果を持ち合わせた各種の描画オブジェクトを配置することによって、各スクリーンに投影させるプロジェクタ画像にアニメーション効果を持たせ、より顧客の目を惹く広告表示や棚札表示を表示することができる。
［別の実施の形態］
次いで、別の実施の形態を図８に基づいて説明する。この場合、図１ないし図７に基づいて前述した実施の一形態と同一の部分は同一符号で示し、説明も省略する。
【００４９】
本発明の別の実施の一形態の陳列棚１０１は、プロジェクタ設置部２００を載置台１０３の内部に備えていない点が、前述した実施の形態と相違する。
【００５０】
図８は、本実施の形態の陳列棚１０１の左側面図である。
【００５１】
本実施の形態のプロジェクタ装置２０１は、陳列棚１０１の背板１０８よりも後方の天井面１５１に取り付けられた保持機構１５２によって固定され、鉛直に設けられた透過型スクリーン１０５に向けて前方水平方向に光軸Ｏを向けて配置される。このプロジェクタ装置２０１は、一画面構成のプロジェクタ画像を透過型スクリーン１０５に直接投影する。すなわち、天井面１５１に取り付けられた保持機構１５２が、図１ないし図７に基づいて前述した実施の形態のプロジェクタ設置部２００に相当する。
【００５２】
本実施の形態の投影鏡１１５は、プロジェクタ装置２０１から投影されるプロジェクタ画像の投射領域Ａに位置させて、プロジェクタ装置２０１から投影される一画面構成のプロジェクタ画像の一部を分割し反射型スクリーン１０９の反射面１０９ａに入射させる向きに配置される。
【００５３】
本実施の形態の陳列棚１０１によれば、図１ないし図７に基づいて前述した実施の形態と同様、反射型スクリーン１０９および透過型スクリーン１０５にプロジェクタ画像が投影され、広告表示と棚札表示との両方を簡易な構成で実現することができる。
【００５４】
さらに、本実施の形態の陳列棚１０１では、プロジェクタ装置２０１は下部空間１１３ａに配置されないために、載置台１０３の更に低い高さ位置に設置して載置空間ＳＰの高さ方向を有効活用することが可能になる。
【００５５】
さらに、本実施の形態の陳列棚１０１では、上方に鏡面を向けて設置される主反射鏡１１４が奥側内部空間１１３に設けられていないために、陳列棚１０１自体の製造コストを抑えることが可能になる。
【００５６】
また、図示はしないが、さらに別の実施の一形態として、一画面構成のプロジェクタ画像を反射型スクリーン１０９の反射面１０９ａ、および、透過型スクリーン１０５の背面側に直接投影する向きにプロジェクタ装置２０１を設置できなくても、プロジェクタ装置２０１から投影される一画面構成のプロジェクタ画像の投影領域Ａに反射型スクリーン１０９および透過型スクリーン１０５のそれぞれに対応付けて２枚の投影鏡１１５を配置し、一画面構成のプロジェクタ画像を透過型スクリーン１０５の背面側および反射型スクリーン１０９の前面側をなす反射面１０９ａのそれぞれに分割して導くことも可能である。
［別の実施の形態］
次いで、別の実施の形態を図９および図１０に基づいて説明する。この場合、図１ないし図７に基づいて前述した実施の一形態、および、図８に基づいて前述した実施の一形態と同一の部分は同一符号で示し、説明も省略する。
【００５７】
本発明の別の実施の一形態の陳列棚１０１は、載置台１０３を複数段備えている点が、前述した実施の形態と相違する。
【００５８】
図９は、本実施の形態の陳列棚１０１の正面図、図１０は本実施の形態の陳列棚１０１の左断面図である。
【００５９】
本実施の形態の載置台１０３は、上下方向に三段設けられている。以下、説明の便宜上、これらの載置台１０３を上から下に向けて第１載置台１０３ｘ、第２載置台１０３ｙ、第３載置台１０３ｚとする。第１載置台１０３ｘの前端１０３ａから下方に向けて、第１載置台１０３ｘと対応付けて第１透過型スクリーン１０５ｘが鉛直に配置されている。また、第２載置台１０３ｙの前端１０３ａから下方に向けて、第２載置台１０３ｙと対応付けて第２透過型スクリーン１０５ｙが鉛直に配置されている。第１透過型スクリーン１０５ｘおよび第２透過型スクリーン１０５ｙのそれぞれの下端には、第２載置台１０３ｙおよび第３載置台１０３ｚの上部に広がる載置空間ＳＰの天井を構成する天井板１１７が接続されている。天井板１１７は、第１透過型スクリーン１０５ｘおよび第２透過型スクリーン１０５ｙのそれぞれの下端から陳列棚１０１の奥側に向けて水平に配置され、載置空間ＳＰの奥行きを規定する奥板１０６に接続している。上記に述べた第１載置台１０３ｘ、第１透過型スクリーン１０５ｘおよびそれに接続する天井板１１７、側板１０４に囲われて、陳列棚１０１の内部には第１段部投影空間１１３ｘが形成されている。同様に、第２載置台１０３ｙ、第２透過型スクリーン１０５ｙおよびそれに接続する天井板１１７、側板１０４に囲われて、陳列棚１０１の内部には、第２段部投影空間１１３ｙが形成されている。
【００６０】
本実施の形態の投影鏡１１５は、奥側内部空間１１３で主反射鏡１１４の上方に、第１透過型スクリーン１０５ｘおよび第２透過型スクリーン１０５ｙのそれぞれに対応づけて２枚配置される。これらの投影鏡１１５はその高さ位置を対応する透過型スクリーン１０５に合わせ、下方から入射されるプロジェクタ画像を対応する透過型スクリーン１０５の裏面側に向けて投影する向きに配置される。２枚の投影鏡１１５および反射型スクリーン１０９の反射面１０９ａはそれぞれ、陳列棚１０１の前後方向に位置を違えて、主反射鏡１１４によって偏向され下方から入射されるプロジェクタ画像を互いに遮らない位置関係に配置される。
【００６１】
本実施の形態の陳列棚１０１によれば、図１ないし図７に基づいて前述した実施の形態や図８に基づいて前述した実施の形態と同様、反射型スクリーン１０９および透過型スクリーン１０５にプロジェクタ画像が投影され、広告表示と棚札表示との両方を簡易な構成で実現することができる。
【００６２】
さらに、本実施の形態の陳列棚１０１では、載置台１０３が複数段設けられ、載置台１０３の前端１０３ａから下方に延出して透過型スクリーン１０５が設けられ、したがって、より多くの商品１０２を陳列して個々の商品１０２に対応してきめ細かい棚札表示を透過型スクリーン１０５に行うことができる。
【００６３】
なお、以上に述べたいずれの実施の形態の陳列棚システム１１においても、プロジェクタ装置２０１から投影される一画面構成のプロジェクタ画像が反射型スクリーン１０９の反射面１０９ａおよび透過型スクリーン１０５に到達するまでに経由する反射鏡の枚数が偶数枚であるか奇数枚であるかによって、各スクリーンに投影されるプロジェクタ画像の上下が反転する。この場合、プロジェクタ画像の画像データのうち上下反転して分割プロジェクタ画像が投影されてしまうスクリーンに対応する領域の画像データ４００自体を予め上下反転させて画像データ４００を作成する必要がある。
【図面の簡単な説明】
【００６４】
【図１】陳列棚システムを示す模式図である。
【図２】陳列棚の正面図である。
【図３】陳列棚の左断面図である。
【図４】プロジェクタ装置に画像データを送信するコンピュータのハードウェア構成を示すブロック図である。
【図５】プロジェクタ装置が投射するプロジェクタ画像の基礎となる画像データを編集生成するためのコンピュータ上での仕組みを例示する模式図である。
【図６】コンピュータ上で編集生成されたプロジェクタ画像の基礎となる画像データの一例を示す模式図である。
【図７】コンピュータ上で編集生成された画像データが投影された状態の一例を示す陳列棚の模式図である。
【図８】陳列棚の左側面図である。
【図９】陳列棚の正面図である。
【図１０】陳列棚の左断面図である。
【符号の説明】
【００６５】
１０１…陳列棚、１０２…商品、１０３（１０３ｘ、１０３ｙ、１０３ｚ）…載置台、１０５…透過型スクリーン、１０９…反射型スクリーン、１１０…光学系（折り返し光学系）、２００…プロジェクタ設置部、２０１…プロジェクタ装置、Ａ…投影領域
【図１】
2008284168.tif 000003
【図２】
2008284168.tif 000004
【図３】
2008284168.tif 000005
【図４】
2008284168.tif 000006
【図５】
2008284168.tif 000007
【図６】
2008284168.tif 000008
【図７】
2008284168.tif 000009
【図８】
2008284168.tif 000010
【図９】
2008284168.tif 000011
【図１０】
2008284168.tif 000012